(57)【要約】      （修正有）【課題】物置棚全体が地面から離れた状態にして、清掃作業の実施が容易にする。【解決手段】固定板１０と、支持素子２０と、レール素子３０と、蓋素子４０とを含むレール枠用組付け構造において、固定板は、予めに設けた壁面に固定され、その表面には係合止め部１１１と係止部１２とが同じ方向に向いて設けてあり、支持素子は、固定板の係合止め部と係止部とにそれぞれ対応するフック部２１と挿止部２２とが設けてあり、且つ前記フック部と挿止部とがそれぞれ前記係合止め部と係止部とに固定され、支持素子には支持部２３が設けてあり、前記支持部の頂面には欠け口２４が設けてあり、前記レール素子は、前記支持素子にある欠け口に対応する定位部３１が設けてあり、前記レール素子にある定位部が前記支持素子にある欠け口に係合し、蓋素子はレール素子の端部に結合される。【選択図】図１
0003110383.tif 000002
【実用新案登録請求の範囲】
【請求項１】
一つの固定板と、一つの支持素子と、一つのレール素子と、一つの蓋素子とを含むレール枠用組付け構造において、
前記固定板は、予めに設けた壁面に固定され、その表面には係合止め部と係止部とが同じ方向に向いて設けてあり、
前記支持素子は、固定板の係合止め部と係止部とにそれぞれ対応するフック部と挿止部とが設けてあり、且つ前記フック部と挿止部とがそれぞれ前記係合止め部と係止部とに固定され、支持素子には支持部が設けてあり、前記支持部の頂面には欠け口が設けてあり、
前記レール素子は、前記支持素子にある欠け口に対応する定位部が設けてあり、前記レール素子にある定位部が前記支持素子にある欠け口に係合し、
前記蓋素子は、前記レール素子の端部に結合されることを特徴とする、
レール枠用組付け構造。
【請求項２】
前記蓋素子は、その周面には前記支持素子にある支持部に対応する箇所では欠け口が設けてあり、且つ前記欠け口により、前記蓋素子が前記支持素子にある支持部を避けてレール素子の端部に結合することを特徴とする、請求項１に記載のレール枠用組付け構造。
【請求項３】
前記レール素子には結合溝が軸方向に設けてあり、且つ前記蓋素子のレール素子にある結合溝に対応する箇所では貫通孔が開設してあり、前記蓋素子が貫通孔を挿通したネジによりレール素子にある結合溝に締結されることを特徴とする、請求項２に記載のレール枠用組付け構造。
【考案の詳細な説明】
【技術分野】
【０００１】
本考案はレール枠用組付け構造に関するものである。
【背景技術】
【０００２】
日常生活では、物置棚を利用して品物や本などを収納することにより、生活環境を綺麗に整理する。
【考案の開示】
【考案が解決しようとする課題】
【０００３】
しかしながら、これは次のような欠点があった。
（１）従来の物置棚は地面のかなりのスペースを占め、且つ物置棚本体と放置された品物との重量が極めて重いので、容易に移動することができなく、だから、物置棚が占めた地面は容易に清掃することができなく、又は、物置棚の背面に面する壁面も容易に清掃することができない。
【０００４】
（２）従来の物置棚の間隔は固定であり、使用者の必要に応じて間隔を調整することができない。
【０００５】
本考案の主な目的は、支持素子が固定素子に係合するときに、物置棚全体が地面から離れた状態にあり、すなわち、支持素子の下方は開放状態であるので、清掃作業の実施が容易になるレール枠用組付け構造を提供することにある。
【課題を解決するための手段】
【０００６】
上記目的を達成するためになされた本願の第１考案は、一つの固定板と、一つの支持素子と、一つのレール素子と、一つの蓋素子とを含むレール枠用組付け構造において、前記固定板は、予めに設けた壁面に固定され、その表面には係合止め部と係止部とが同じ方向に向いて設けてあり、前記支持素子は、固定板の係合止め部と係止部とにそれぞれ対応するフック部と挿止部とが設けてあり、且つ前記フック部と挿止部とがそれぞれ前記係合止め部と係止部とに固定され、なお、支持素子には支持部が設けてあり、前記支持部の頂面には欠け口が設けてあり、前記レール素子は、前記支持素子にある欠け口に対応する定位部が設けてあり、前記レール素子にある定位部が前記支持素子にある欠け口に係合し、前記蓋素子は、前記レール素子の端部に結合されることを特徴とするレール枠用組付け構造であることを要旨としている。
【０００７】
本願の第２考案では、前記蓋素子は、その周面には前記支持素子にある支持部に対応する箇所では欠け口が設けてあり、且つ前記欠け口により、前記蓋素子が前記支持素子にある支持部を避けてレール素子の端部に結合することを特徴とする前記第１考案のレール枠用組付け構造であることを要旨としている。
【０００８】
本願の第３考案では、前記レール素子には結合溝が軸方向に設けてあり、且つ前記蓋素子のレール素子にある結合溝に対応する箇所では貫通孔が開設してあり、前記蓋素子が貫通孔を挿通したネジによりレール素子にある結合溝に締結されることを特徴とする前記第２考案のレール枠用組付け構造であることを要旨としている。
【考案の効果】
【０００９】
本考案に係るレール枠用組付け構造によれば、物置棚全体が地面から離れた状態にあり、すなわち、支持素子の下方は開放状態であるので、清掃作業の実施が容易になる
【考案を実施するための最良の形態】
【００１０】
以下、添付図面を参照して本考案の好適な実施の形態を詳細に説明する。
【００１１】
まず、図１と図２を参照する。本考案に係るレール枠用組付け構造は、一つの固定板１０と、一つの支持素子２０と、一つのレール素子３０と、一つの蓋素子４０とを含む。
【００１２】
前記固定板１０は、その表面には互いに反対方向に向く係合止め部１１が二つに設けてあり、各係合止め部１１と固定板１０の間には係合溝１１１が形成され、且つ固定板１０の表面の縁部では係止部１２がそれぞれ設けてあり、また、係止部１２と固定板１０の表面の間には係止溝１２１がそれぞれ設けてあり、且つ固定板１０の表面には断面がＶ字形を呈する案内溝１３が二つに設けてあり、なお、案内溝１３が各係合止め部１１と各係止部１２の間に位置し、多数のネジ１４（本実施例では、４本）が固定板１０にある案内溝１３を貫通して予定の壁面にねじ込むことにより、固定板１０が壁面に固定される。
【００１３】
前記支持素子２０は、固定板１０の係合止め部１１１と係止部１２とにそれぞれ対応するフック部２１と挿止部２２とが設けてあり、且つ前記フック部２１と挿止部２２とがそれぞれ前記係合止め部１１１と係止部１２とに固定され、なお、支持素子２０には支持部２３が設けてあり、前記支持部２３の頂面には欠け口２４が設けてある。
【００１４】
前記レール素子３０は、押出し製造法によって一体成形されたものであり、前記支持素子２０にある欠け口２４に対応する定位部３１が設けてあり、前記レール素子３０にある定位部３１が前記支持素子２０にある欠け口２４に係合し、また、レール素子には、二つの結合溝３２と二つのレール３３とが軸方向に設けてある。
【００１５】
前記蓋素子４０は、中空な殻体であり、その周面の支持素子２０にある支持部２３に対応する箇所では欠け口４１が一つに設けてあり、且つレール素子３０にある結合溝３２に対応する箇所では貫通孔４２が二つに設けてあり、前記欠け口４１により、前記蓋素子４０が支持素子２０にある支持部２３を避けてレール素子３０の端部に結合し、且つ前記蓋素子４０が貫通孔４２を挿通したネジ４３によりレール素子３０にある結合溝３２に締結され、これにより、蓋素子４０がレール素子３０に結合される。
【００１６】
また、図３乃至図６を参照して、本考案の使用方法および機能を詳細に説明する。本考案を組付けるときには、まず、ネジ１４によって固定板１０にある案内溝１３を貫通して壁面にねじ込むことにより、壁面に固定板１０を固定する。
【００１７】
次に、支持素子２０のフック部２１と挿止部２２とをそれぞれ固定板１０の係合溝１１１と係止溝１２１とに係合することにより、支持素子２０が固定板１０に結合される。
【００１８】
次に、支持素子２０にある欠け口２４内にレール素子３０の一端にある定位部３１を係合し固定する。
【００１９】
次に、蓋素子４０は欠け口４１によって支持素子２０にある支持部２３を避けて係合し、また、蓋素子４０が貫通孔４２を挿通したネジ４３によりレール素子３０にある結合溝３２に締結し、これにより、蓋素子４０がレール素子３０に結合される。
【００２０】
上記の組付け方法により、使用者は、これらの部材を容易に組付けることができ、図６に示すように、レール枠を予定箇所に取付けることができる。固定板１０には二つの支持素子２０が結合してあり、各支持素子２０にはレール素子３０と蓋素子４０とが結合してあり、且つ二つのレール素子３０の間には物置構造５０が結合してあり、これにより、物置棚全体が地面から離れた状態にあり、すなわち、支持素子２０の下方は開放状態であるので、清掃作業の実施が容易になる。
【００２１】
また、使用者は必要に応じて、支持素子２０とレール素子３０との数量を増減することができ、または、支持素子２０の固定板１０に対する位置を調整することもでき、支持素子２０の移動によりレール素子３０も移動される。本考案を展示会で使用すれば、消費者の購買欲を引き出すことができる。
【図面の簡単な説明】
【００２２】
【図１】本考案の分解斜視図である。
【図２】本考案の一部の拡大図である。
【図３】本考案の組合状態の一部の断面図である。
【図４】図３の断面図である。
【図５】本考案の組合状態の断面図である。
【図６】本考案の実施形態を示す斜視図である。
【符号の説明】
【００２３】
１０      固定板                  １１      係合止め部
１１１    係合溝                  １２      係止部
１２１    係止溝                  １３      案内溝
１４      ネジ
２０      支持素子                ２１      フック部
２２      挿止部                  ２３      支持部
２４      欠け口
３０      レール素子              ３１      定位部
３２      結合溝                  ３３      レール
４０      蓋素子                  ４１      欠け口
４２      貫通孔                  ４３      ネジ
５０      物置構造
【図１】
0003110383.tif 000003
【図２】
0003110383.tif 000004
【図３】
0003110383.tif 000005
【図４】
0003110383.tif 000006
【図５】
0003110383.tif 000007
【図６】
0003110383.tif 000008